(57)【特許請求の範囲】
【請求項１】
発信端末と、この発信端末からの呼に対して未応答のときに前記発信端末の着信履歴情報を表示する着信端末と、を有する着信履歴表示方式において、
前記着信端末が着呼し未応答とした呼に対して呼び返しを行う期限を示す着信履歴の有効期限情報を指定して前記着信端末に向け発呼する前記発信端末と、
前記発信端末が発呼した呼に対して自着信端末が未応答のときに前記着信履歴の有効期限情報を前記着信履歴情報とともに表示する前記着信端末と、
を備えたことを特徴とする着信履歴表示方式。
【請求項２】
発信端末と、この発信端末と網を介して接続されこの発信端末からの呼に対して未応答のときに前記発信端末の着信履歴情報を表示する着信端末と、を有する着信履歴表示方式において、
前記着信端末が着呼し未応答とした呼に対して呼び返しを行う期限を示す着信履歴の有効期限情報と前記着信端末の加入者番号とを指定しこの着信端末の加入者番号とこの着信履歴の有効期限情報とを含めた発呼要求メッセージを前記着信端末に向けて前記網に出力し、前記網を介して呼び出し中メッセージを受け、前記着信端末に対しての呼接続の放棄を希望するときに切断メッセージを前記着信端末に向けて前記網に出力する前記発信端末と、
前記網を介して前記発信端末より前記発呼要求メッセージを受けこの発呼要求メッセージに含まれる前記着信履歴の有効期限情報を抽出して格納し、前記呼び出し中メッセージを前記発信端末に向けて前記網に出力し、前記網を介して前記発信端末より前記切断メッセージを受けて受けた後に前記格納した前記着信履歴の有効期限情報を前記着信履歴情報とともに表示する前記着信端末と、
を備えたことを特徴とする着信履歴表示方式。
【請求項３】
発信端末により、着信端末が着呼し未応答とした呼に対して呼び返しを行う期限を示す着信履歴の有効期限情報を指定して前記着信端末に向けて発呼し、前記着信端末により、この呼に対してこの着信端末が未応答のときに前記着信履歴の有効期限情報を前記発信端末の着信履歴情報とともに表示するようにしたことを特徴とする着信履歴表示方法。
【請求項４】
発信端末より網を介して着信端末に発呼し、この呼に対して前記着信端末が未応答のときに前記着信端末に前記発信端末の着信履歴情報を表示するようにした着信履歴表示方法において、
前記発信端末により、前記着信端末が着呼し未応答とした呼に対して呼び返しを行う期限を示す着信履歴の有効期限情報と前記着信端末の加入者番号とを指定しこの着信端末の加入者番号とこの着信履歴の有効期限情報とを含めた発呼要求メッセージを前記着信端末に向けて前記網に出力する第１のステップと、
前記着信端末により、前記網を介して前記発呼要求メッセージを受けこの発呼要求メッセージに含まれる前記着信履歴の有効期限情報を抽出して格納し、呼び出し中メッセージを前記発信端末に向けて前記網に出力する第２のステップと、
前記発信端末により、前記網を介して前記呼び出し中メッセージを受け、前記着信端末に対しての呼接続の放棄を希望するときに切断メッセージを前記着信端末に向けて前記網に出力する第３のステップと、
前記着信端末により、前記網を介して前記切断メッセージを受けて受けた後に前記第２のステップで格納した前記着信履歴の有効期限情報を前記着信履歴情報とともに表示する第４のステップと、
を含むことを特徴とする着信履歴表示方法。
【請求項５】
発信端末と、この発信端末と網を介して接続されこの発信端末からの呼に対して未応答のときに前記発信端末の着信履歴情報を表示する着信端末と、を有する呼び返し呼の課金方式において、
前記着信端末が着呼し未応答とした呼に対して呼び返しを行う期限を示す着信履歴の有効期限情報と前記発信端末に対して前記着信端末が発呼する呼び返しの呼の課金区分を示す課金区分情報とを指定し前記着信履歴の有効期限情報と前記課金区分情報とを含めた第１の発呼要求メッセージを前記着信端末に向けて前記網に出力し、前記網より前記着信端末からの呼び出し中メッセージを受け、前記着信端末に対しての呼接続の放棄を希望するときに切断メッセージを前記着信端末に向けて前記網に出力する前記発信端末と、
前記網より前記第１の発呼要求メッセージを受けこの第１の発呼要求メッセージに含まれる前記着信履歴の有効期限情報と前記課金区分情報とを抽出して格納し、前記呼び出し中メッセージを前記発信端末に向けて前記網に出力し、前記網より前記発信端末からの前記切断メッセージを受けて受けた後に前記格納した前記着信履歴の有効期限情報と前記課金区分情報とを前記発信端末の前記着信履歴情報とともに表示し、表示した後に前記着信履歴情報で示す前記発信端末に向けて第２の発呼要求メッセージを呼び返しの発呼として前記網に出力する前記着信端末と、
前記発信端末より前記第１の発呼要求メッセージを受けてこの第１の発呼要求メッセージに含まれる前記着信履歴の有効期限情報と前記課金区分情報とを抽出して登録し、この第１の発呼要求メッセージを前記着信端末に出力し、前記着信端末より前記呼び出し中メッセージを受けて前記発信端末に出力し、前記発信端末より前記切断メッセージを受けて前記着信端末に出力し、前記着信端末より前記第２の発呼要求メッセージを受けこの第２の発呼要求メッセージを受けたときが前記登録した前記着信履歴の有効期限情報で示す期限内であるときに、この第２の発呼要求メッセージで示す前記呼び返しの呼に対して発生する料金を前記登録した前記課金区分情報に基づいて課金する前記網と、
を備えたことを特徴とする呼び返し呼の課金方式。
【請求項６】
発信端末と、この発信端末と網を介して接続されこの発信端末からの呼に対して未応答のときに前記発信端末の着信履歴情報を表示する着信端末と、を有する呼び返し呼の課金方式において、
前記着信端末が着呼し未応答とした呼に対して呼び返しを行う期限を示す着信履歴の有効期限情報と前記着信端末の加入者番号と前記発信端末に対して前記着信端末が発呼する呼び返しの呼の課金区分を示す課金区分情報とを指定し前記発信端末の加入者番号と前記着信端末の加入者番号と前記着信履歴の有効期限情報と前記課金区分情報とを含めた第１の発呼要求メッセージを前記着信端末に向けて前記網に出力し、前記網より前記着信端末からの呼び出し中メッセージを受け、前記着信端末に対しての呼接続の放棄を希望するときに切断メッセージを前記着信端末に向けて前記網に出力する前記発信端末と、
前記網より前記第１の発呼要求メッセージを受けこの第１の発呼要求メッセージに含まれる前記発信端末の加入者番号と前記着信履歴の有効期限情報と前記課金区分情報とを抽出し格納し、前記呼び出し中メッセージを前記発信端末に向けて前記網に出力し、前記網より前記発信端末からの前記切断メッセージを受けて受けた後に前記格納した前記着信履歴の有効期限情報と前記課金区分情報とを前記発信端末の加入者番号を含む前記着信履歴情報とともに表示し、この表示した前記着信履歴情報で示す加入者番号の前記発信端末に対して前記呼び返しの呼を希望するときに、この表示した前記着信履歴情報内の前記発信端末の加入者番号と自着信端末の加入者番号とを含む第２の発呼要求メッセージを呼び返しの発呼として前記網に出力する前記着信端末と、
前記発信端末より前記第１の発呼要求メッセージを受けてこの第１の発呼要求メッセージに含まれる前記発信端末の加入者番号と前記着信端末の加入者番号と前記着信履歴の有効期限情報と前記課金区分情報とを抽出して登録し、前記着信端末の加入者番号の示す前記着信端末に前記第１の発呼要求メッセージを出力し、前記着信端末より前記呼び出し中メッセージを受けて前記発信端末に出力し、前記発信端末より前記切断メッセージを受けて前記着信端末に出力し、前記着信端末より前記第２の発呼要求メッセージを受信し、この第２の発呼要求メッセージに含まれる発呼元である前記着信端末の加入者番号と発呼先である前記発信端末の加入者番号とに対応する前記登録した前記着信履歴の有効期限情報と前記課金区分情報とを取り出しこの着信履歴の有効期限情報で示す期限内に前記第２の発呼要求メッセージを受信したか否かを調べ調べた結果が期限内に前記第２の発呼要求メッセージを受信したことを示すときに前記第２の発呼要求メッセージで示す前記呼び返しの呼に対して発生する料金を前記課金区分情報に基づいて課金する前記網と、
を備えたことを特徴とする呼び返し呼の課金方式。
【請求項７】
前記課金区分情報を、前記呼び返しの呼に対して発生する料金を前記発信端末と前記着信端末とのうちのいずれか一方を指定して課金することを示す情報としたことを特徴とする請求項５又は６記載の呼び返し呼の課金方式。
【請求項８】
発信端末により、着信端末が着呼し未応答とした呼に対して呼び返しを行う期限を示す着信履歴の有効期限情報とこの発信端末に対しての呼び返しの呼の課金区分を示す課金区分情報とを指定して着信端末に向けて発呼し、前記着信端末により、この呼に対してこの着信端末が未応答のときに前記着信履歴の有効期限情報と前記課金区分情報とを前記発信端末の着信履歴情報とともに表示し表示した後に前記着信履歴情報で示す前記発信端末に発呼する呼び返しの発呼を前記有効期限情報で示す期限内に行ったときに、この呼び返しの呼に対して発生する料金を前記課金区分情報に基づいて課金するようにしたことを特徴とする呼び返し呼の課金方法。
【請求項９】
発信端末より網を介して着信端末に発呼し、この呼に対して前記着信端末が未応答のときに前記着信端末に前記発信端末の着信履歴情報を表示し、表示した後に前記着信端末が前記着信履歴情報で示す前記発信端末に発呼する呼び返しの発呼を行ったときに、この呼び返しの呼に対して発生する料金を課金するための呼び返し呼の課金方法であって、
前記発信端末により、前記着信端末が着呼し未応答とした呼に対して呼び返しを行う期限を示す着信履歴の有効期限情報と前記着信端末の加入者番号とこの発信端末に対しての前記呼び返しの呼の課金区分を示す課金区分情報とを指定し前記着信端末の加入者番号と前記着信履歴の有効期限情報と前記課金区分情報とを含めた発呼要求メッセージを前記着信端末に向けて前記網に出力する第１のステップと、
前記着信端末により、前記網を介して前記発呼要求メッセージを受けこの発呼要求メッセージに含まれる前記着信端末の加入者番号と前記着信履歴の有効期限情報と前記課金区分情報とを抽出して格納し、呼び出し中メッセージを前記発信端末に向けて前記網に出力する第２のステップと、
前記発信端末により、前記網を介して前記呼び出し中メッセージを受け、前記着信端末に対しての呼接続の放棄を希望するときに切断メッセージを前記着信端末に向けて前記網に出力する第３のステップと、
前記着信端末により、前記網を介して前記切断メッセージを受けて受けた後に前記第２のステップで格納した前記着信履歴の有効期限情報と前記課金区分情報とを前記発信端末の前記着信履歴情報とともに表示する第４のステップと、
前記着信履歴の有効期限情報で示す期限内に前記着信端末から前記着信履歴情報で示す前記発信端末に呼び返しの発呼を行ったときに、この呼び返しの呼に対して発生する料金を前記課金区分情報に基づいて課金する第５のステップと、
を含むことを特徴とする呼び返し呼の課金方法。
【請求項１０】
発信端末より網を介して着信端末に発呼し、この呼に対して前記着信端末が未応答のときに前記着信端末に前記発信端末の着信履歴情報を表示し、表示した後に前記着信端末が前記着信履歴情報で示す前記発信端末に発呼する呼び返しの発呼を行ったときに、この呼び返しの呼に対して発生する料金を課金するための呼び返し呼の課金方法であって、
前記発信端末により、前記着信端末が着呼し未応答とした呼に対して呼び返しを行う期限を示す着信履歴の有効期限情報と前記着信端末の加入者番号と前記呼び返しの呼の課金区分を示す課金区分情報とを指定し前記発信端末の加入者番号と前記着信端末の加入者番号と前記着信履歴の有効期限情報と前記課金区分情報とを含めた第１の発呼要求メッセージを前記着信端末に向けて前記網に出力する第１のステップと、
前記網により、前記第１の発呼要求メッセージを受けてこの第１の発呼要求メッセージに含まれる前記発信端末の加入者番号と前記着信端末の加入者番号と前記着信履歴の有効期限情報と前記課金区分情報とを抽出して登録し、前記着信端末の加入者番号の示す前記着信端末に前記第１の発呼要求メッセージを出力する第２のステップと、
前記着信端末により、前記網より前記第１の発呼要求メッセージを受けこの第１の発呼要求メッセージに含まれる前記発信端末の加入者番号と前記着信履歴の有効期限情報と前記課金区分情報とを抽出し格納して呼び出し中メッセージを前記網に出力する第３のステップと、
前記網により、前記呼び出し中メッセージを受けて前記発信端末にこの呼び出し中メッセージを出力する第４のステップと、
前記発信端末により、前記網より前記呼び出し中メッセージを受け、前記着信端末に対しての呼接続の放棄を希望するときに切断メッセージを前記網に出力する第５のステップと、
前記網により、前記切断メッセージを受けて前記着信端末にこの切断メッセージを出力する第６のステップと、
前記着信端末により、前記網より前記切断メッセージを受けて受けた後に前記第３のステップで格納した前記着信履歴の有効期限情報と前記課金区分情報とを前記発信端末の加入者番号を含む前記着信履歴情報とともに表示する第７のステップと、
前記着信端末により、前記第７のステップで表示した前記着信履歴情報で示す加入者番号の前記発信端末に対して前記呼び返しの呼を希望するときに、この表示した前記着信履歴情報内の前記発信端末の加入者番号と自着信端末の加入者番号とを含む第２の発呼要求メッセージを呼び返しの発呼として前記網に出力する第８のステップと、
前記網により、前記第２の発呼要求メッセージを受信し、この第２の発呼要求メッセージに含まれる発呼元である前記着信端末の加入者番号と発呼先である前記発信端末の加入者番号とに対応する前記第２のステップで登録した前記着信履歴の有効期限情報と前記課金区分情報とを取り出しこの着信履歴の有効期限情報で示す期限内に前記第２の発呼要求メッセージを受信したか否かを調べ調べた結果が期限内に前記第２の発呼要求メッセージを受信したことを示すときに前記第２の発呼要求メッセージで示す前記呼び返しの呼に対して発生する料金を前記課金区分情報に基づいて課金する第９のステップと、
を含むことを特徴とする呼び返し呼の課金方法。
【請求項１１】
前記課金区分情報を、前記呼び返しの呼に対して発生する料金を前記発信端末と前記着信端末とのうちのいずれか一方を指定して課金することを示す情報としたことを特徴とする請求項８、９又は１０記載の呼び返し呼の課金方法。
【発明の詳細な説明】
【０００１】
【発明の属する技術分野】
本発明は着信履歴表示方式、着信履歴表示方法、呼び返し呼の課金方式及び呼び返し呼の課金方法に関し、特に発信端末と、この発信端末からの呼に対して未応答のときにこの発信端末の着信履歴情報を表示する着信端末と、を有する着信履歴表示方式、着信履歴表示方法、呼び返し呼の課金方式及び呼び返し呼の課金方法に関する。
【０００２】
【従来の技術】
従来、この種の着信履歴表示方式及び呼び返し呼の課金方式は、例えば、着呼に対する呼返し方式（特開平６−４６１４３号公報）に開示されているように、被呼者不応答あるいは話中時に、発呼者が呼を中断した未応答の場合、着呼情報に含まれる発呼者番号を記憶し、被呼者には着呼があったことを通知し、この記憶した発呼者番号の呼び出し要求があれば順次読み出してこの発呼者番号を表示し、簡単な操作でこの発呼者番号の発呼をして発呼者を呼び返している。そして、一般に、この呼び返しの呼に対して発生する料金は呼び返しを行った端末に対して課金される。
【０００３】
【発明が解決しようとする課題】
上述した従来の着信履歴表示方式及び呼び返し呼の課金方式は、未応答の場合、着呼情報に含まれる発呼者番号を記憶し、被呼者（着信者）には着呼があったことを通知し、呼び出し要求に応じてこの発呼者番号を読み出して表示し、簡単な操作でこの発呼者番号の発呼を行って発呼者（発信者）を呼び返している。そして、この呼び返しの呼に対して発生する料金は呼び返しを行った端末に対して課金される。
【０００４】
このため、着信者は着信履歴（記憶された発呼者番号）に基づいて発信者を呼び返すが、この呼び返しが遅い場合や発信者の用件が緊急の場合には、着信者が呼び返しても発信者は用件が済んでいてこの呼び返しが無駄になるという問題がある。
【０００５】
また、着信履歴が不明な電話番号の場合には、この電話番号が、例えば、悪質なワン切り業者の電話番号である可能性があるので、着信者は呼び返しをしたがらない傾向があり、用件がある着信であるにもかかわらず、着信者はこの着信が用件がある着信か否かわからないので、呼び返しされないという問題がある。
【０００６】
更に、呼び返し時に発生する料金は、用件のある発信者が負担すべきと考えられるが、常に呼び返しを行う着信者が負担する必要があるという問題がある。
【０００７】
本発明の目的はこのような従来の欠点を除去するため、無駄にならない呼び返しができ、用件がある着信か否かがわかり、呼び返しを行う着信者が常に呼び返しの呼に対して発生する料金を負担する必要があるということのない着信履歴表示方式、着信履歴表示方法、呼び返し呼の課金方式及び呼び返し呼の課金方法を提供することにある。
【０００８】
【課題を解決するための手段】
本発明の第１の着信履歴表示方式は、発信端末と、この発信端末からの呼に対して未応答のときに前記発信端末の着信履歴情報を表示する着信端末と、を有する着信履歴表示方式において、
前記着信端末が着呼し未応答とした呼に対して呼び返しを行う期限を示す着信履歴の有効期限情報を指定して前記着信端末に向け発呼する前記発信端末と、
前記発信端末が発呼した呼に対して自着信端末が未応答のときに前記着信履歴の有効期限情報を前記着信履歴情報とともに表示する前記着信端末と、
を備えて構成されている。
【０００９】
本発明の第２の着信履歴表示方式は、発信端末と、この発信端末と網を介して接続されこの発信端末からの呼に対して未応答のときに前記発信端末の着信履歴情報を表示する着信端末と、を有する着信履歴表示方式において、
前記着信端末が着呼し未応答とした呼に対して呼び返しを行う期限を示す着信履歴の有効期限情報と前記着信端末の加入者番号とを指定しこの着信端末の加入者番号とこの着信履歴の有効期限情報とを含めた発呼要求メッセージを前記着信端末に向けて前記網に出力し、前記網を介して呼び出し中メッセージを受け、前記着信端末に対しての呼接続の放棄を希望するときに切断メッセージを前記着信端末に向けて前記網に出力する前記発信端末と、
前記網を介して前記発信端末より前記発呼要求メッセージを受けこの発呼要求メッセージに含まれる前記着信履歴の有効期限情報を抽出して格納し、前記呼び出し中メッセージを前記発信端末に向けて前記網に出力し、前記網を介して前記発信端末より前記切断メッセージを受けて受けた後に前記格納した前記着信履歴の有効期限情報を前記着信履歴情報とともに表示する前記着信端末と、
を備えて構成されている。
【００１０】
本発明の第１の着信履歴表示方法は、発信端末により、着信端末が着呼し未応答とした呼に対して呼び返しを行う期限を示す着信履歴の有効期限情報を指定して前記着信端末に向けて発呼し、前記着信端末により、この呼に対してこの着信端末が未応答のときに前記着信履歴の有効期限情報を前記発信端末の着信履歴情報とともに表示するようにしている。
【００１１】
本発明の第２の着信履歴表示方法は、発信端末より網を介して着信端末に発呼し、この呼に対して前記着信端末が未応答のときに前記着信端末に前記発信端末の着信履歴情報を表示するようにした着信履歴表示方法において、
前記発信端末により、前記着信端末が着呼し未応答とした呼に対して呼び返しを行う期限を示す着信履歴の有効期限情報と前記着信端末の加入者番号とを指定しこの着信端末の加入者番号とこの着信履歴の有効期限情報とを含めた発呼要求メッセージを前記着信端末に向けて前記網に出力する第１のステップと、
前記着信端末により、前記網を介して前記発呼要求メッセージを受けこの発呼要求メッセージに含まれる前記着信履歴の有効期限情報を抽出して格納し、呼び出し中メッセージを前記発信端末に向けて前記網に出力する第２のステップと、
前記発信端末により、前記網を介して前記呼び出し中メッセージを受け、前記着信端末に対しての呼接続の放棄を希望するときに切断メッセージを前記着信端末に向けて前記網に出力する第３のステップと、
前記着信端末により、前記網を介して前記切断メッセージを受けて受けた後に前記第２のステップで格納した前記着信履歴の有効期限情報を前記着信履歴情報とともに表示する第４のステップと、
を含んでいる。
【００１２】
本発明の第１の呼び返し呼の課金方式は、発信端末と、この発信端末と網を介して接続されこの発信端末からの呼に対して未応答のときに前記発信端末の着信履歴情報を表示する着信端末と、を有する呼び返し呼の課金方式において、
前記着信端末が着呼し未応答とした呼に対して呼び返しを行う期限を示す着信履歴の有効期限情報と前記発信端末に対して前記着信端末が発呼する呼び返しの呼の課金区分を示す課金区分情報とを指定し前記着信履歴の有効期限情報と前記課金区分情報とを含めた第１の発呼要求メッセージを前記着信端末に向けて前記網に出力し、前記網より前記着信端末からの呼び出し中メッセージを受け、前記着信端末に対しての呼接続の放棄を希望するときに切断メッセージを前記着信端末に向けて前記網に出力する前記発信端末と、
前記網より前記第１の発呼要求メッセージを受けこの第１の発呼要求メッセージに含まれる前記着信履歴の有効期限情報と前記課金区分情報とを抽出して格納し、前記呼び出し中メッセージを前記発信端末に向けて前記網に出力し、前記網より前記発信端末からの前記切断メッセージを受けて受けた後に前記格納した前記着信履歴の有効期限情報と前記課金区分情報とを前記発信端末の前記着信履歴情報とともに表示し、表示した後に前記着信履歴情報で示す前記発信端末に向けて第２の発呼要求メッセージを呼び返しの発呼として前記網に出力する前記着信端末と、
前記発信端末より前記第１の発呼要求メッセージを受けてこの第１の発呼要求メッセージに含まれる前記着信履歴の有効期限情報と前記課金区分情報とを抽出して登録し、この第１の発呼要求メッセージを前記着信端末に出力し、前記着信端末より前記呼び出し中メッセージを受けて前記発信端末に出力し、前記発信端末より前記切断メッセージを受けて前記着信端末に出力し、前記着信端末より前記第２の発呼要求メッセージを受けこの第２の発呼要求メッセージを受けたときが前記登録した前記着信履歴の有効期限情報で示す期限内であるときに、この第２の発呼要求メッセージで示す前記呼び返しの呼に対して発生する料金を前記登録した前記課金区分情報に基づいて課金する前記網と、
を備えて構成されている。
【００１３】
本発明の第２の呼び返し呼の課金方式は、発信端末と、この発信端末と網を介して接続されこの発信端末からの呼に対して未応答のときに前記発信端末の着信履歴情報を表示する着信端末と、を有する呼び返し呼の課金方式において、
前記着信端末が着呼し未応答とした呼に対して呼び返しを行う期限を示す着信履歴の有効期限情報と前記着信端末の加入者番号と前記発信端末に対して前記着信端末が発呼する呼び返しの呼の課金区分を示す課金区分情報とを指定し前記発信端末の加入者番号と前記着信端末の加入者番号と前記着信履歴の有効期限情報と前記課金区分情報とを含めた第１の発呼要求メッセージを前記着信端末に向けて前記網に出力し、前記網より前記着信端末からの呼び出し中メッセージを受け、前記着信端末に対しての呼接続の放棄を希望するときに切断メッセージを前記着信端末に向けて前記網に出力する前記発信端末と、
前記網より前記第１の発呼要求メッセージを受けこの第１の発呼要求メッセージに含まれる前記発信端末の加入者番号と前記着信履歴の有効期限情報と前記課金区分情報とを抽出し格納し、前記呼び出し中メッセージを前記発信端末に向けて前記網に出力し、前記網より前記発信端末からの前記切断メッセージを受けて受けた後に前記格納した前記着信履歴の有効期限情報と前記課金区分情報とを前記発信端末の加入者番号を含む前記着信履歴情報とともに表示し、この表示した前記着信履歴情報で示す加入者番号の前記発信端末に対して前記呼び返しの呼を希望するときに、この表示した前記着信履歴情報内の前記発信端末の加入者番号と自着信端末の加入者番号とを含む第２の発呼要求メッセージを呼び返しの発呼として前記網に出力する前記着信端末と、
前記発信端末より前記第１の発呼要求メッセージを受けてこの第１の発呼要求メッセージに含まれる前記発信端末の加入者番号と前記着信端末の加入者番号と前記着信履歴の有効期限情報と前記課金区分情報とを抽出して登録し、前記着信端末の加入者番号の示す前記着信端末に前記第１の発呼要求メッセージを出力し、前記着信端末より前記呼び出し中メッセージを受けて前記発信端末に出力し、前記発信端末より前記切断メッセージを受けて前記着信端末に出力し、前記着信端末より前記第２の発呼要求メッセージを受信し、この第２の発呼要求メッセージに含まれる発呼元である前記着信端末の加入者番号と発呼先である前記発信端末の加入者番号とに対応する前記登録した前記着信履歴の有効期限情報と前記課金区分情報とを取り出しこの着信履歴の有効期限情報で示す期限内に前記第２の発呼要求メッセージを受信したか否かを調べ調べた結果が期限内に前記第２の発呼要求メッセージを受信したことを示すときに前記第２の発呼要求メッセージで示す前記呼び返しの呼に対して発生する料金を前記課金区分情報に基づいて課金する前記網と、
を備えて構成されている。
【００１４】
本発明の第１の呼び返し呼の課金方法は、発信端末により、着信端末が着呼し未応答とした呼に対して呼び返しを行う期限を示す着信履歴の有効期限情報とこの発信端末に対しての呼び返しの呼の課金区分を示す課金区分情報とを指定して着信端末に向けて発呼し、前記着信端末により、この呼に対してこの着信端末が未応答のときに前記着信履歴の有効期限情報と前記課金区分情報とを前記発信端末の着信履歴情報とともに表示し表示した後に前記着信履歴情報で示す前記発信端末に発呼する呼び返しの発呼を前記有効期限情報で示す期限内に行ったときに、この呼び返しの呼に対して発生する料金を前記課金区分情報に基づいて課金するようにしている。
【００１５】
本発明の第２の呼び返し呼の課金方法は、発信端末より網を介して着信端末に発呼し、この呼に対して前記着信端末が未応答のときに前記着信端末に前記発信端末の着信履歴情報を表示し、表示した後に前記着信端末が前記着信履歴情報で示す前記発信端末に発呼する呼び返しの発呼を行ったときに、この呼び返しの呼に対して発生する料金を課金するための呼び返し呼の課金方法であって、
前記発信端末により、前記着信端末が着呼し未応答とした呼に対して呼び返しを行う期限を示す着信履歴の有効期限情報と前記着信端末の加入者番号とこの発信端末に対しての前記呼び返しの呼の課金区分を示す課金区分情報とを指定し前記着信端末の加入者番号と前記着信履歴の有効期限情報と前記課金区分情報とを含めた発呼要求メッセージを前記着信端末に向けて前記網に出力する第１のステップと、
前記着信端末により、前記網を介して前記発呼要求メッセージを受けこの発呼要求メッセージに含まれる前記着信端末の加入者番号と前記着信履歴の有効期限情報と前記課金区分情報とを抽出して格納し、呼び出し中メッセージを前記発信端末に向けて前記網に出力する第２のステップと、
前記発信端末により、前記網を介して前記呼び出し中メッセージを受け、前記着信端末に対しての呼接続の放棄を希望するときに切断メッセージを前記着信端末に向けて前記網に出力する第３のステップと、
前記着信端末により、前記網を介して前記切断メッセージを受けて受けた後に前記第２のステップで格納した前記着信履歴の有効期限情報と前記課金区分情報とを前記発信端末の前記着信履歴情報とともに表示する第４のステップと、
前記着信履歴の有効期限情報で示す期限内に前記着信端末から前記着信履歴情報で示す前記発信端末に呼び返しの発呼を行ったときに、この呼び返しの呼に対して発生する料金を前記課金区分情報に基づいて課金する第５のステップと、
を含んでいる。
【００１６】
【発明の実施の形態】
次に、本発明の実施の形態について図面を参照して説明する。
【００１７】
図１は、本発明の呼び返し呼の課金方式の一つの実施の形態を示すブロック図である。この図１で示す実施の形態は、本発明の着信履歴表示方式を含んでいる。
【００１８】
図１に示す本実施の形態は、網３と、この網３に接続された発信端末１と着信端末２とを有し、着信端末２に網３を介して発呼する発信端末１と、網３を介して発信端末１よりこの発呼を受けこの呼に対して未応答のときに発信端末１の着信履歴情報を表示する着信端末２と、により構成する。
【００１９】
発信端末１は、発信者の指示に従い、着信履歴の有効期限情報（この発信端末１への着信端末２からの呼び返しの希望期限を示す）と発信端末１に対して着信端末２が発呼する呼び返しの呼の課金区分を示す課金区分情報とを指定し第１の発呼要求メッセージを着信端末２に向けて網３に出力し、網３より着信端末２からの呼び出し中メッセージを受け、発信者が着信端末２に対しての呼接続の放棄を希望するときに、この発信者の指示に従い、切断メッセージを着信端末２に向けて網３に出力する。
【００２０】
着信端末２は、網３より第１の発呼要求メッセージを受けこの第１の発呼要求メッセージより着信履歴の有効期限情報と課金区分情報とを抽出して格納し、呼び出し中メッセージを発信端末１に向けて網３に出力し、網３より発信端末１からの切断メッセージを受けて受けた後にこの格納した着信履歴の有効期限情報と課金区分情報とを発信端末１の着信履歴情報とともに表示する。表示した後に、着信者の指示に従い、着信履歴情報で示す発信端末１に向けて第２の発呼要求メッセージを呼び返しの発呼として網３に出力する。
【００２１】
網３は、発信端末１より第１の発呼要求メッセージを受けてこの第１の発呼要求メッセージより着信履歴の有効期限情報と課金区分情報とを抽出して登録し、この第１の発呼要求メッセージを着信端末２に出力し、着信端末２より呼び出し中メッセージを受けて発信端末１に出力し、発信端末１より切断メッセージを受けて着信端末２に出力する。そして、着信端末２より第２の発呼要求メッセージを受けこの第２の発呼要求メッセージを受けたときが、この登録した着信履歴の有効期限情報で示す期限内であるときに、この第２の発呼要求メッセージで示す呼び返しの呼に対して発生する料金を、この登録した課金区分情報に基づいて課金する。
【００２２】
課金区分情報は、呼び返しの呼に対して発生する料金を発信端末１と着信端末２とのうちのいずれか一方を指定して課金することを示す情報である。
【００２３】
次に、本実施の形態の呼び返し呼の課金方式の動作を図２及び図３を参照して詳細に説明する。この呼び返し呼の課金方式の動作は、本発明の着信履歴表示方式の動作を含んでいる。
【００２４】
図２は、本発明の実施の形態の動作の一例を示し、本発明の呼び返し呼の課金方法の一例を示すフローチャートである。また、この図２には、本発明の着信履歴表示方式の動作の一例を含んでおり、更に、本発明の着信履歴表示方法の一例を示すフローチャートも含んでいる。
【００２５】
図３は、着信端末上での表示の一例を示す図であり、着信端末２の表示器に発信端末１の加入者番号を含む着信履歴情報と、着信履歴の有効期限情報と、課金区分情報とを表示した例を示している。
【００２６】
図１において、図２に示すように、ステップ２１では、発信者の指示に従い、発信端末１により、着信端末２の加入者番号（例えば０６−６９４５−ｙｙｙｙ：ｙは数字）と着信履歴の有効期限情報（例えば、２００２年２月１２日ＰＭ３時３０分）と呼び返しの呼の課金区分を示す課金区分情報（例えば、着信課金：この場合は、発信端末１に対して課金する）とを指定し発信端末１の加入者番号（例えば０６−６９４５−ｘｘｘｘ：ｘは数字）と着信端末２の加入者番号と着信履歴の有効期限情報と課金区分情報とを含めた第１の発呼要求メッセージ（ＳＥＴＵＰ）を着信端末２に向けて網３に出力する。この第１の発呼要求メッセージ（ＳＥＴＵＰ）は、例えば、ユーザーネットワークＩ／Ｆ（Ｉ４．５で示すプロトコル）上で送受信するメッセージである。
【００２７】
このとき、着信履歴の有効期限情報と課金区分情報（これらの情報を情報Ａとする。）とは、例えば、発信端末１上のボタン等を操作して発信端末１の表示器上に表示された操作誘導表示に従って、あるいは予め定められた操作によって入力する。
【００２８】
ステップ２２では、網３は、発信端末１より第１の発呼要求メッセージを受けこの第１の発呼要求メッセージに含まれる発信端末１の加入者番号と着信端末２の加入者番号と着信履歴の有効期限情報と課金区分情報とを抽出して登録し、着信端末２の加入者番号の示す着信端末２に第１の発呼要求メッセージを出力する。
【００２９】
ステップ２３では、着信端末２は、網３より第１の発呼要求メッセージを受けこの第１の発呼要求メッセージに含まれる発信端末１の加入者番号と着信履歴の有効期限情報と課金区分情報とを抽出し格納して呼び出し中メッセージ（ＣＡＬＬ  Ｐｒｏｃ）を網３に出力する。
【００３０】
ステップ２４では、網３は、着信端末２より呼び出し中メッセージを受けて発信端末１にこの呼び出し中メッセージを出力する。
【００３１】
ステップ２５では、発信端末１は、網３より呼び出し中メッセージを受けて、呼び出し中であること発信者に示し、発信者が、着信端末２に対しての呼接続の放棄を希望するときに、発信者の指示に従い（例えば、発信端末１をオンフックする等により）、切断メッセージ（ＤＩＳＣ）を網３に出力する。
【００３２】
ステップ２６では、網３は、発信端末１より切断メッセージを受けて着信端末２にこの切断メッセージを出力する。
【００３３】
ステップ２７では、着信端末２は、網３より切断メッセージを受けて呼解放要求メッセージ（ＲＥＬ）を網３に出力する。
【００３４】
ステップ２８では、網３は、着信端末２より呼解放要求メッセージを受けて発信端末１にこの呼解放要求メッセージを出力する。
【００３５】
ステップ２９では、発信端末１は、網３より呼解放要求メッセージを受けて、呼解放を了承し呼解放完了メッセージ（ＲＥＬ  ＣＯＭＰ）を網３に出力する。
【００３６】
ステップ３０では、網３は、発信端末１より呼解放完了メッセージを受けて着信端末２にこの呼解放完了メッセージを出力する。
【００３７】
ステップ３１では、着信端末２は、網３より呼解放完了メッセージを受けてステップ２３で格納した着信履歴の有効期限情報と課金区分情報とを発信端末１の加入者番号を含む着信履歴情報とともに図３で示すように表示する。
【００３８】
ステップ３２では、着信端末２は、ステップ３１で表示した着信履歴情報で示す加入者番号の発信端末１に対して、着信者が、呼び返しの呼を希望するときに、着信者の指示に従い（例えば、この発信端末１の加入者番号に発信する等により）、この表示した着信履歴情報内の発信端末１の加入者番号と自着信端末２の加入者番号とを含む第２の発呼要求メッセージ（ＳＥＴＵＰ）を呼び返しの発呼として網３に出力する。
【００３９】
ステップ３３では、網３は、着信端末２より第２の発呼要求メッセージを受信し、この第２の発呼要求メッセージに含まれる発呼元である着信端末２の加入者番号と発呼先である発信端末１の加入者番号とに対応するステップ２２で登録した着信履歴の有効期限情報と課金区分情報とを取り出しこの着信履歴の有効期限情報で示す期限内に第２の発呼要求メッセージを受信したか否かを調べ調べた結果が期限内に第２の発呼要求メッセージを受信したことを示すときに第２の発呼要求メッセージで示す呼び返しの呼に対して発生する料金を課金区分情報に基づいて課金する。この例では、ステップ２１で課金区分情報を着信課金としたので、発信端末１に対して課金する。
【００４０】
【発明の効果】
以上説明したように、本発明によれば、発信端末により、着信履歴の有効期限情報を指定して着信端末に向け発呼し、着信端末により、発信端末が発呼した呼に対して自着信端末が未応答のときにこの着信履歴の有効期限情報を発信端末の着信履歴情報とともに表示するため、
着信者は、着信履歴情報で示す発信者に呼び返しを行うときに、この表示された着信履歴の有効期限情報を見てこの有効期限情報の示す期限が過ぎているときには発信者に対して呼び返しを行わないようにできるので、無駄になる呼び返しをしないですむ。
【００４１】
また、着信端末に、着信履歴情報とともに着信履歴の有効期限情報が表示されるので、着信者は、この着信が用件のある着信であることがわかる。
【００４２】
また、本発明によれば、発信端末により、着信履歴の有効期限情報と課金区分情報（これらを情報Ａとする）とを指定して第１の発呼要求メッセージを網を介して着信端末に出力し、網を介して着信端末より呼び出し中メッセージを受け、着信端末に対しての呼接続の放棄を希望するときに、切断メッセージを網を介して着信端末に出力し、着信端末により、網を介して発信端末より第１の発呼要求メッセージを受けこのメッセージから情報Ａを抽出して格納し、呼び出し中メッセージを網を介して発信端末に出力し、網を介して発信端末より切断メッセージを受けて、この格納した情報Ａを発信端末の着信履歴情報とともに表示し、表示した後に着信履歴情報で示す発信端末に向けて第２の発呼要求メッセージを呼び返しの発呼として網に出力し、網により、着信端末より第２の発呼要求メッセージを受けこのメッセージの受信が着信履歴の有効期限情報で示す期限内のときに、呼び返しの呼に対して発生する料金を課金区分情報に基づいて課金するため、着信端末に、着信履歴情報とともに着信履歴の有効期限情報と課金区分情報とが表示されるので、着信者は、この着信が用件のある着信であることがわかる。
【００４３】
また、網により、着信履歴の有効期限情報で示す期限内の呼び返しの呼に対して発生する料金を課金区分情報に基づいて課金するので、呼び返しを行う着信者が常に呼び返しの呼に対して発生する料金を負担する必要があるということがない。
【００４４】
更に、発信者が課金区分情報を着信課金とすることにより、この発信者の発信端末に、着信者からの呼び返しの呼に対して発生する料金を課金するようになるので、着信履歴の有効期限情報で示す期限内での呼び返しの呼が期待できる。
【図面の簡単な説明】
【図１】本発明の呼び返し呼の課金方式の一つの実施の形態を示すブロック図である。
【図２】本発明の実施の形態の動作の一例を示し、本発明の呼び返し呼の課金方法の一例を示すフローチャートである。
【図３】着信端末上での表示の一例を示す図である。
【符号の説明】
１    発信端末
２    着信端末
３    網
【図１】
0003683243.tif 000002
【図２】
0003683243.tif 000003
【図３】
0003683243.tif 000004